(57)【特許請求の範囲】
【請求項１】
有底筒状の容器本体の開口部にエアゾールバルブが装着されているエアゾール容器と、
前記エアゾールバルブのステムに嵌着され、かつ、上面に開口を有するカップ状の押しボタンである噴射部材とからなるエアゾール製品であって、
前記開口が、波形の形状を呈し、
前記エアゾール容器における容器本体の直径ｄと該容器本体の底面から上端面までの高さｈとの比（ｄ／ｈ）が１〜３にされており、かつ前記エアゾール容器に分離しない内容物が充填されてなる据置型エアゾール製品。
【発明の詳細な説明】
【０００１】
【発明の属する技術分野】
本発明はエアゾール製品に関する。さらに詳しくは、据え置き型のエアゾール製品であって、噴射時の操作性および安定性を向上させることができるとともに、内容物を均一に噴出することができるエアゾール製品に関する。
【０００２】
【従来の技術および発明が解決しようとする課題】
一般的なエアゾール製品は手に持って使用するため、持ち易さや操作性を考慮して、容器の直径ｄの方が高さｈよりも小さくなっている（ｄ／ｈ＜１）。従来品のサイズとしては、ｄ＝２０〜６５ｍｍ、ｈ＝７０〜２２０ｍｍ、たとえば一般的なエアゾール製品（ヘアスプレーやヘアフォーム、制汗剤など）は、ｄ＝４０〜５５ｍｍ、ｈ＝１２０〜２００ｍｍである。
【０００３】
近年、室内、下駄箱などの家具内や自動車内などの空間を処理するエアゾール製品（消臭剤、燻蒸剤など）が多くみられ、これらの製品は床面などの平面に置いて使用される。また化粧おとしのように、洗面台などに置かれている製品もある。
【０００４】
たとえば床に置いて押しボタンを操作する場合は、手に持って操作する場合と異なり、垂直下方へ押し下げにくく、横方向へも力が加わる。そのため、製品が滑ったり（横方向へ移動）傾くことがあり、操作性がわるい。
【０００５】
また、これらの製品は、とくに内容物が少なくなり、製品が軽くなったとき噴射の勢い（反作用力）で製品が転倒する場合があり、手で押さえるなどの措置が必要であるし、一度噴射操作を行なうと全量を噴射するタイプの製品では、製品が転倒すると効果が充分に発揮できない。
【０００６】
かかる場合には、定量式エアゾール装置（特公平８−１８６２８号公報）を用いることができる。
【０００７】
しかし、燻蒸剤など、噴射された有効成分を吸引すると好ましくない製品の場合では、一度噴射操作を行なうと、複雑なロック機構により全量を噴射するタイプが多いため、操作する人は噴射する空間とは別の場所で待機する必要がある。
【０００８】
また、洗面台などに置かれている製品は、手に持って使用したほうが好ましいものもあるが、左右どちらかの手がふさがっている場合には操作性の面から容器本体に触れることなく、押しボタンのみを操作するほうが好ましい場合がある。
【０００９】
この場合、内容物が分離している製品では、振らずに噴射すると、組成物が不均一な状態で噴射されるため、有効成分などの濃度にバラツキが生じる。このため、充分な効果が得られない場合がある。
【００１０】
本発明は、叙上の事情に鑑み、噴射時の操作性および安定性を向上させることができるとともに、内容物を均一に噴出することができるエアゾール製品を提供することを目的とする。
【００１１】
【課題を解決するための手段】
本発明のエアゾール製品は、有底筒状の容器本体の開口部にエアゾールバルブが装着されているエアゾール容器と、前記エアゾールバルブのステムに嵌着される押しボタンとからなるエアゾール製品であって、前記エアゾール容器における容器本体の直径と該容器本体の底面から上端面までの高さとの比が１〜３にされており、かつ前記エアゾール容器に分離しない内容物が充填されてなることを特徴としている。
【００１２】
【発明の実施の形態】
以下、添付図面に基づいて本発明のエアゾール製品を説明する。
【００１３】
図１は本発明のエアゾール製品の一実施の形態を示す側面図、図２は本発明のエアゾール製品の他の実施の形態を示す側面図、図３は本発明のエアゾール製品のさらに他の実施の形態を示す要部断面図、図４は本発明のエアゾール製品のさらなる他の実施の形態を示す要部断面図である。
【００１４】
図１に示されるように、本発明の一実施の形態にかかわるエアゾール製品は、通常テーブルＴや床などの平面に載置された状態で使用され、エアゾール容器１と押しボタン２とから構成されている。このエアゾール容器１は、有底筒状の容器本体３と、該容器本体３の開口部に装着されるエアゾールバルブ（図示せず）とから構成されており、該エアゾールバルブは、容器開口部にクリンチにより装着されるマウンティングカップ４と、該カップ４に支持される噴射バルブ（図示せず）とからなる。前記押しボタン２は該噴射バルブのステム（図示せず）を押し下げることができるように、嵌着されている。また不使用のときはキャップ（図示せず）を取り付け、不要に押しボタン２を押さないようにすることができる。
【００１５】
本実施の形態では、容器本体３の直径ｄとエアゾール容器１の高さ、すなわち容器本体３の底面から上端面までの高さｈとの比（ｄ／ｈ）が１〜３、好ましくは１〜２の関係にされている。かかる関係比にすることにより、エアゾール製品の操作性および安定性が良くなるため、エアゾール製品を手に持たずに、テーブルＴに置いたまま、押しボタン２を指で押し下げて内容物を押しボタン２の噴口５から噴射することができる。前記直径ｄは、４０〜１３０ｍｍ、高さｈは３０〜１１０ｍｍが好ましい。これは直径ｄが４０ｍｍ未満の場合は、製品の安定性がわるく、噴射の反作用力で転倒しやすくなるからである。また直径ｄが１３０ｍｍをこえる場合は、製品が非常に大きなものとなり、取り扱いにくくなるからである。なお、内容量が１０００ｍｌをこえると高圧ガス保安法の対象となるが、本発明のエアゾール製品は対象外である。一方、高さｈが３０ｍｍ未満の場合は、一般的なエアゾールバルブの取り付けが困難となるからである。また高さｈが１１０ｍｍをこえる場合は、製品が大きなものとなり、また安定性がわるくなるからである。前記内容物に配合される有効成分としては、除菌剤、消臭剤、芳香剤または燻蒸剤などの空間処理剤を用いることができるが、これらに限定されるものではない。
【００１６】
なお、自動車用消臭剤などのように一度で使い切る場合、押しボタン２を作動させた状態に保つために、マウンティングカップ４の内周部にロックさせる係止突起６を前記押しボタン２に設けるのが好ましい。
【００１７】
つぎに他の実施の形態を説明する。図２に示されるように、前記押しボタンに代えてカップ状の押しボタンである噴射部材１１がステム１２に嵌着されている。本実施の形態では、エアゾール容器内に、噴射後に樹脂皮膜を形成する組成物（化粧水パット）が充填されており手Ｈのひらで噴射部材１１の開口１１ａを押さえることにより、該噴射部材１１内に噴射された内容物の皮膜が形成される。この場合、図２に示されるように押しボタンの上面全体を手Ｈのひらで押さえるので、斜め方向Ｐに大きな力が加わりやすくなる。これに対し、従来品（ｄ／ｈ＜１）では、押し下げ時に滑りや転倒しやすくなる。前記噴射部材１１の開口形状は、開口部を塞いだときに、気化した噴射剤が外部へ抜けられるように完全密閉しない形状であれば適宜選定することができ、たとえば波形などにすることができる。本実施の形態におけるエアゾール製品の内容物に配合される有効成分としては、化粧水、日焼け止めまたはクレンジングなどの化粧品や、消炎鎮痛剤、殺菌剤または消毒剤などの医薬品や医薬部外品などを用いることができるが、これらに限定されるものではない。
【００１８】
つぎにさらに他の実施の形態を説明する。図３に示されるように、前記押しボタンおよびカップ状の押しボタンに代えてスパウトの押しボタン２１がステム２２に嵌着されている。本実施の形態では、片手がふさがっている場合、たとえば左手の親指Ｆで押しボタン２１を押し下げ、左手のひらＨで後発泡性のシェービングフォームなどを吐出すことができる。
【００１９】
つぎにさらなる他の実施の形態を説明する。図４に示されるように、本実施の形態では、とくに足先ＬＦで押しボタンを操作する足踏み式エアゾール製品に好適な押しボタン３０を備えている。たとえば足の患部に水虫薬を噴射させる場合、前記押しボタン３０は、断面がＴ字状を呈しており、足の裏で押されたときに、ステム３１に連通する噴射口３２が、足指ＬＦ１、足指ＬＦ１のあいだおよび足裏に位置するように設けられている。なお、足裏に位置する噴射口３２ａは、水虫がひどくないときには、栓などで塞いでおくのが好ましい。
【００２０】
これにより、安定性の良い容器本体３３の押しボタン３０に足を置くだけでよいので、操作が簡単であり、薬液を飛散させることなく、患部に直接有効成分を噴射させることができる。
【００２１】
これまでの実施の形態におけるエアゾール製品に充填される内容物（組成物）としては、分離しない内容物であるのが好ましい。かかる内容物を充填するのは、製品を置いた状態で使用するため、使用前には製品を振らない場合が多いからであり、また狭い場所に置いてしまうと、振ることができないからである。したがって、分離していると、均一に内容物を噴射（または吐出）することができないのに対し、分離しない内容物を充填することにより、放置しておいた製品を振ることなく、均一に内容物を噴射することができる。前記分離しない内容物としては、たとえば原液と噴射剤が１液（均一系）となっているもの、水相と油相（液化石油ガスを含む）が安定なエマルジョンを形成するもの、または粉体がエアゾール内容物中で均一に分散しているものなどを用いることができる。
【００２２】
つぎに本発明を実施例に基づいて説明するが、本発明はかかる実施例のみに限定されるものではない。
【００２３】
実施例１〜３
図１に示した容器（直径ｄ、高さｈは表１に示す）を３種類作製し、これらに消臭成分を有効成分とした下記組成物（消臭剤）を充填し、内圧がＣＯ2にて０．６ＭＰａ（２５℃）に調整された全量噴射型のエアゾール製品を用意した。これに対し、容器本体の直径ｄと高さｈとの比（ｄ／ｈ）が１より小さい容器を用いてエアゾール製品（比較例１、２）も用意した。
0004398543.tif 000002
【００２４】
得られた製品を床に置き、押しボタンを指で押し下げて噴射した。そして、つぎに示すボタン作動時および噴射時の安定性を評価した。その結果を表１に示す。
【００２５】
ボタン作動時の安定性：押しボタンを押し下げたとき、容器が傾いたり、移動しないかを評価する。
【００２６】
噴射時の安定性：噴射時に製品が転倒または移動しないかを評価する。
【００２７】
【表１】
0004398543.tif 000003
【００２８】
表１より、実施例１〜３は、比較例１〜２と比較して、ボタン作動時の安定性および噴射時の安定性とも優れていることがわかった。
【００２９】
実施例４
つぎに図２に示した容器（直径ｄ、高さｈは表２に示す）に化粧成分を有効成分とした下記組成物（化粧水パット）を充填し、エアゾール製品を用意した。
0004398543.tif 000004
【００３０】
得られた製品をテーブルに置き、カップ状の噴射部材を手のひらで押し下げて噴射した。そして、つぎに示すボタン作動時の安定性を評価した。その結果を表２に示す。
【００３１】
【表２】
0004398543.tif 000005
【００３２】
表２より、実施例４は、ボタン作動時の安定性に優れていることがわかった。
【００３３】
実施例５
つぎに図３に示した外観の二重容器（容器内に樹脂性の内袋を備え、二室に区分された容器）（直径ｄ、高さｈは表２に示す）を用いたエアゾール製品を用意した。この製品は、下記組成物（後発泡性シェービングフォーム）を内袋内に充填し、内袋と容器本体との間には、加圧剤としてＮ2を製品圧力が０．７ＭＰａ（２５℃）となるよう充填している。内袋内に下記組成物を充填する際にはイソペンタン以外の成分を混合、冷却し、これにイソペンタンを機械的に混合してから充填している。組成物はｏ／ｗ型エマルジョンであるが、非常に安定なエマルジョンである。
0004398543.tif 000006
【００３４】
得られた製品をテーブルに置き、押しボタンを指で押し下げて噴射した。そして、つぎに示すボタン作動時の安定性を評価した。その結果を表２に示す。
【００３５】
表２より、実施例５は、ボタン作動時の安定性に優れていることがわかった。
【００３６】
実施例６
つぎに図４に示した容器（直径ｄ、高さｈは表２に示す）に殺菌成分を有効成分とした下記組成物（水虫薬）を充填し、エアゾール製品を用意した。
0004398543.tif 000007
【００３７】
得られた製品を床に置き、押しボタンを足で押し下げて噴射した。そして、つぎに示すボタン作動時の安定性を評価した。その結果を表２に示す。
【００３８】
表２より、実施例６は、ボタン作動時の安定性に優れていることがわかった。
【００３９】
【発明の効果】
以上説明したとおり、本発明によれば、容器本体の直径ｄと該容器本体の底面から上端面までの高さｈとの比（ｄ／ｈ）を１〜３とすることにより、置いた状態で噴射しても転倒する惧れがなく、好適に内容物を噴射することができる。また製品全体の重心を低くすることができ、内容物がほとんど噴射されて軽くなった場合でも、噴射の反作用力により転倒することがない。さらに分離しない内容物を充填しているため、放置しておいた製品を振ることなく、安定して、かつ均一に内容物を噴出することができる。
【図面の簡単な説明】
【図１】本発明のエアゾール製品の一実施の形態を示す側面図である。
【図２】本発明のエアゾール製品の他の実施の形態を示す側面図である。
【図３】本発明のエアゾール製品のさらに他の実施の形態を示す要部断面図である。
【図４】本発明のエアゾール製品のさらなる他の実施の形態を示す要部断面図である。
【符号の説明】
１  エアゾール容器
２  押しボタン
３  容器本体
４  マウンティングカップ
５  噴口
６  係止突起
１１  噴射部材
１１ａ  開口
１２  ステム
【図１】
0004398543.tif 000008
【図２】
0004398543.tif 000009
【図３】
0004398543.tif 000010
【図４】
0004398543.tif 000011